(57)【要約】【課題】放送番組を視聴しながら、バックグラウンドで休止チャンネルを自動検出しスキップ登録して選局時の雑音の発生を防止できる放送受信装置を提供する。【解決手段】放送信号を復調して音声映像信号を出力する第１チューナ部と、第１チューナ部と独立して動作する第２チューナ部と、第２チューナ部の各チャンネルの放送信号を受信して各チャンネルにおける放送が休止中であるかどうかを判断し、休止中であれば、第１チューナ部または第２チューナ部のチャンネル選択の際に休止中のチャンネルをスキップするべく制御する制御部をもつ放送受信装置。【選択図】図１
2008141435.tif 000002
【特許請求の範囲】
【請求項１】
放送信号を復調して音声映像信号を出力する第１チューナ部と、
前記第１チューナ部と独立して動作する第２チューナ部と、
前記第２チューナ部の各チャンネルの放送信号を受信して各チャンネルにおける放送が休止中であるかどうかを判断し、休止中であれば、前記第１チューナ部または前記第２チューナ部のチャンネル選択の際に休止中のチャンネルをスキップするべく制御する制御部と、を具備することを特徴とする放送受信装置。
【請求項２】
前記制御部は、前記第２チューナ部からの音声映像信号に応じた映像が、表示部に表示されておらず、出力端から出力されておらず、記録部に記録されていない場合、前記第２チューナ部により各チャンネルの放送信号を受信して放送が休止中であるかどうかを判断し、休止中であれば、前記第１チューナ部または前記第２チューナ部のチャンネル選択の際に休止中のチャンネルをスキップするべく制御することを特徴とする請求項１記載の放送受信装置。
【請求項３】
前記制御部は、各チャンネルにおける放送が休止中であると判断すると、スキップフラグを設定し、前記第１チューナ部及び前記第２チューナ部のチャンネル選択の際に、このスキップフラグを用いてチャンネルスキップを行なうことを特徴とする請求項１記載の放送受信装置。
【請求項４】
前記制御部は、放送信号中のＰＭＴ及びＰＡＴの有無で放送中止を判断することを特徴とする請求項１記載の放送受信装置。
【請求項５】
前記制御部は、前記第２チューナ部からの音声映像信号に応じた映像が、表示部に表示されているか、出力端から出力されているか、記録部に記録されている場合、放送信号のＥＰＧ情報を取得しこれに基づいて放送中止を判断することを特徴とする請求項１記載の放送受信装置。
【請求項６】
前記制御部は、前記第１チューナ部及び前記第２チューナ部のチャンネル操作信号に応じてチャンネル操作中に、前記スキップフラグに従ってスキップしたチャンネルがあればこれを画像表示するための画像信号を生成することを特徴とする請求項１記載の放送受信装置。
【請求項７】
前記制御部は、前記第１チューナ部又は前記第２チューナ部により表示部に表示中に、各チャンネルの放送信号を受信して休止中であると判断すると、そのチャンネルを前記表示部に表示することを特徴とする請求項１記載の放送受信装置。
【請求項８】
放送信号を復調して音声映像信号を出力する第１チューナ部と、
前記第１チューナ部と独立して動作する第２チューナ部と、
前記第２チューナ部の各チャンネルの放送信号を受信して各チャンネルにおける放送が休止中であるかどうかを判断し、休止中であれば、前記第１チューナ部または前記第２チューナ部のチャンネル選択の際に休止中のチャンネルをスキップすべく制御する制御部と、
前記第１チューナ部から出力された前記音声映像信号に応じた画像を画面表示する表示部を具備することを特徴とする放送受信装置。
【請求項９】
放送信号を復調して音声映像信号を出力する第１チューナ部と、前記第１チューナ部と独立して動作する第２チューナ部を有する放送受信装置において、
前記第２チューナ部の各チャンネルの放送信号を受信して各チャンネルにおける放送が休止中であるかどうかを判断し、休止中であれば、前記第１チューナ部または前記第２チューナ部のチャンネル選択の際に休止中のチャンネルをスキップするべく制御することを特徴とする放送受信方法。
【発明の詳細な説明】
【技術分野】
【０００１】
この発明は、チャンネルのスキップ処理を行うチューナをもった放送受信装置及び放送受信方法に関する。
【背景技術】
【０００２】
従来、デジタルテレビジョンにおいて、チャンネルを変更する場合は、例えばリモコンキーのＵＰキー又はＤＯＷＮキーを押下し続けることで、登録チャンネルが登録順に選択されることとなる。しかし、登録チャンネルにある放送が深夜等により休止されている場合、ユーザは、視聴できないチャンネルを選局してしまう場合が発生する。これに対して、休止中のチャンネルをスキップして、次の登録チャンネルを自動選択する放送受信機の技術が知られている。
【０００３】
特許文献１は、放送が行われているかどうかを検出する回路と、そのチャンネルをスキップするかどうかを示すフラグを記憶するメモリを備えたテレビ受像機を開示している。
【特許文献１】特開昭６３−３６６０８号公報
【発明の開示】
【発明が解決しようとする課題】
【０００４】
しかし、特許文献１の従来技術は、１台のチューナでチャンネルの休止を検出しているため、ユーザが何かのチャンネルを視聴している時は、他のチャンネルの休止状態を検出することができないという問題がある。
【０００５】
本発明は、放送番組を視聴しながら、バックグラウンドで休止チャンネルを自動検出しスキップ登録して選局時の雑音の発生を防止することができる放送受信装置及び放送受信方法を提供することを目的とする。
【課題を解決するための手段】
【０００６】
課題を解決するための一実施形態は、放送信号を復調して音声映像信号を出力する第１チューナ部（１１，１６）と、前記第１チューナ部と独立して動作する第２チューナ部（１２，１７）と、前記第２チューナ部の各チャンネルの放送信号を受信して各チャンネルにおける放送が休止中であるかどうかを判断し、休止中であれば、前記第１チューナ部または前記第２チューナ部のチャンネル選択の際に休止中のチャンネルをスキップするべく制御する制御部（２２）と、を具備することを特徴とする放送受信装置である。
【発明の効果】
【０００７】
ユーザが放送番組を視聴しながら、未使用のチューナを用いて深夜等のチャンネルの休止を自動検出し、チャンネルスキップを登録することができる。
【発明を実施するための最良の形態】
【０００８】
以下、この発明の実施の形態について図面を参照して詳細に説明する。
【０００９】
＜本発明の一実施形態に係る放送受信装置＞
以下に、本発明の一実施形態に係る放送受信装置の一例を図面を用いて詳細に説明する。図１は、本発明の一実施形態に係る放送受信装置の構成の一例を示すブロック図である。デジタルテレビジョンである放送受信装置１は、図１において、アンテナに接続されておりデジタル地上波又はデジタル衛星波信号を受信する第１デジタルチューナ１１と、同じく第２デジタルチューナ１２と、それぞれのデジタルチューナ１１，１２から受信信号が供給される復調器１３と、復調器１３が復調した復調信号を受けるトランスポートデコーダ１４を有している。
【００１０】
更に、この放送受信装置１は、トランスポートデコーダ１４から出力されたデコード信号をＭＰＥＧデコードするＭＰＥＧデコーダ１５と、アンテナに接続されアナログ地上波又はアナログ衛星波信号を受信する第１アナログチューナ１６と、第２アナログチューナ１７と、各アナログチューナ１６，１７からの信号及び外部のＤＶＤプレーヤ等から映像音声信号を受ける映像音声処理部１８と、映像音声処理部１８からの映像信号を受けて映像を表示する表示部１９と、音声を出力するスピーカ２０とを有している。
【００１１】
更に、この放送受信装置１は、パワースイッチやチャンネルＵＰ，ＤＯＷＮスイッチ等の操作部２１と、リモコンＲからの操作信号を受けるリモコン受光部２３と、これらからの操作信号を受け、全体の各ユニットの動作を制御する制御部２２を有している。又、この制御部２２は、特に、チャンネルの深夜等の休止を自動検出する休止判断部２２−１と、このチャンネル休止の検出結果に基づくチャンネルスキップを設定するスキップ制御部２２−２を含んでいる。
【００１２】
更に、この放送受信装置１は、例えば揮発性のメモリ２４と、不揮発性の記憶媒体であるＨＤＤコントローラ２５及びＨＤＤ２６と、ＬＡＮ等の外部の通信機能に接続されるネットワークコントローラ２７と、放送信号等から抽出したＥＰＧ（Electronic ProGram）報を管理するＥＰＧ処理部２８を更に有している。
【００１３】
（基本動作）
このような構成による放送受信装置１０は、アンテナから受けた放送信号を第１デジタルチューナ１１等で選局し、選局された放送信号を復調器１３で復調し、トランスポートデコーダ１４でデコードし、ＭＰＥＧデコーダ１５でデコードして得られた映像音声信号が映像音声処理部１８に供給される。映像音声処理部１８に供給された映像音声信号はスケール変換等の映像処理を施され、更に音声信号についても増幅処理等がなされて、映像信号に応じた映像が表示部１９等に表示され、音声がスピーカ２０から出力される。
【００１４】
（チャンネルスキップ処理）
次に、このような放送受信装置１０が行うチャンネルスキップ処理を、図２乃至図５のフローチャートを用いて詳細に説明する。図２は、本発明の一実施形態に係る放送受信装置のスキップフラグ設定処理の一例を示すフローチャートである。
【００１５】
なお、以下の図２乃至５のフローチャートの各ステップは、回路ブロックに置き換えることができ、従って、各フローチャートのステップは、全てブロックに定義しなおすことが可能である。
【００１６】
初めに、この実施形態のチャンネルスキップ処理とは、以下のようなものである。
【００１７】
１．視聴用のチューナとは別のチューナを使って、バックグランドで休止中のチャンネルを検索し、休止中チャンネルの情報を格納しておく。ユーザがチャンネル変更した場合には、そのメモリ情報を参照してスキップ対象のチャンネルであれば自動スキップする。こうすることで、選局動作速度を落とすことなく自動スキップを実現する。
【００１８】
２. 別チューナを使って休止中のチャンネルを検索する代わりに、ＥＰＧ情報を元にスキップ対象チャンネルを検索する。
【００１９】
・スキップフラグ設定処理
次に、スキップフラグ設定処理を説明する。なお、チャンネルをスキップさせる方法としてスキップフラグを用いる方法を示すが、必ずしもスキップフラグを使用する方法を用いる必要はなく、他の方法によりチャンネルスキップを実現することも好適である。
【００２０】
スキップフラグ設定処理が次のように行われる。このような放送受信装置１０において、図２に示すように、初めに、制御部２２の休止判断部２２−１は、第２デジタルチューナ１２が未使用（表示部１９へ表示のため、または、出力部２０に出力のため、または、ＨＤＤ２６に記録のため等に使用中ではない状態）であるかどうかを判断する（ステップＳ１１）。単に電源がチューナ部に供給されている状態は、使用中とは考えない。また、第２デジタルチューナ１２が使用中の時は第１デジタルチューナ１１を用いる。
【００２１】
上記した場合のように第２デジタルチューナ１２が使用中の際は、図４のフローチャートで後述するように、ＥＰＧ（電子番組）情報を用いて番組の休止を検出する処理を行う（ステップＳ１２）。
【００２２】
ステップＳ１１において、休止判断部２２−１が第２デジタルチューナ１２がフリーであると判断すれば、第２デジタルチューナ１２を用いて、登録チャンネルの最初のチャンネルを選局する（ステップＳ１２）。制御部２２の休止判断部２２−１は、例えば“１ｃｈ”を選局して、受信中のチャンネルが放送中であるかどうかを、第２デジタルチューナ１２からの受信信号のＰＭＴ及びＰＡＴが存在するかどうかにより判断する（ステップＳ１３）。
【００２３】
制御部２２の休止判断部２２−１は、受信信号のＰＭＴ及びＰＡＴが存在すれば、放送中であるとして受信中のチャンネルのスキップフラグが設定されていればこれを解除する（ステップＳ１４）。更に、制御部２２の休止判断部２２−１は、受信信号のＰＭＴ及びＰＡＴが存在しなければ、受信中のチャンネルのスキップフラグを設定する（ステップＳ１５）。このスキップフラグは、休止判断部２２−１によりメモリ２４に記憶される。
【００２４】
なお、ここで、ユーザが任意に表示モードを設定することにより、ここでスキップを決定したチャンネルを図６に示すように表示部１９上で表示３１することも好適である。
【００２５】
そして、第２チューナ１２により、登録チャンネルの次のチャンネルを選局する（ステップＳ１６）。そして、再び第２チューナ１２がフリーであることを確認して、ステップＳ１３に進んで次のチャンネルの休止判断とスキップフラグの設定及び解除を行う。登録チャンネルが最後に到達した場合は、最初の登録チャンネルに戻る。
【００２６】
このようにして登録チャンネルについて、各チャンネルの放送中・休止中を監視し、スキップフラグの設定及び解除を行う。なお、ステップＳ１６において、第２チューナ１２が表示部１９へ表示のため、または、出力部２０に出力のため、または、ＨＤＤ２６に記録のため等に使用中となっていれば、スキップフラグ設定処理を終了する。
【００２７】
テレビの電源が入っている間、あるいはスタンバイ時にこれらの動作を一定時間おきに実行することで、登録されているチャンネル全てに対して、放送中か否かのスキップフラグがメモリ２４に格納されることになる。
【００２８】
・ＥＰＧ情報を用いたスキップフラグ設定処理
前述の方法では、複数チューナが必要であり、また視聴用に使っていないチューナがフリーである必要があるという制限があった。しかし、以下の実施形態では、ＥＰＧを利用することで、このような制限をなくした。ここで、ＥＰＧ上で番組休止が明記されている場合にのみ自動スキップが有効になる。弱電界で受信できないなど、ローカル環境要因により一時的に受信できないチャンネルが存在してもスキップ対象と認識できないといった別の制限が生じる。そのため、複数チューナを使う方法と、ＥＰＧを使う方法を組み合わせて使用する方法が好適である。
【００２９】
すなわち、放送受信装置１０は、図４のフローチャートにおいて、ＥＰＧ処理部２８は、デジタルチューナ１１，１２等を介して、放送信号またはネットワーク経由でサーバからＥＰＧ情報を抽出する（ステップＳ２１）。次に、休止判断部２２−１は、このＥＰＧ情報から、放送休止中のチャンネルを検索する（ステップＳ２２）。そして、休止中のチャンネルにはスキップフラグを設定し、それ以外のチャンネルのスキップフラグは解除して、終了する（ステップＳ２３）。
【００３０】
このような処理を、テレビの電源が入っている間、あるいはスタンバイ時一定時間おき実行することで、登録されているチャンネル全てに対して、放送中か否かのスキップフラグがメモリに格納されることになる。
【００３１】
以上のような処理により、本発明の一実施形態に係る放送受信装置では、ユーザがテレビのチャンネル ＵＰ／ＤＯＷＮキーで次々とチャンネルを変える際に、深夜などで放送休止中のチャンネルを自動的にスキップする機能により、ノイズを回避し素早い選局をすることができる。
【００３２】
・チャンネルスキップ処理
次に、このようにして更新されたスキップフラグを用いたチャンネルスキップ処理の一例をフローチャートを用いて説明する。図３は、本発明の一実施形態に係る放送受信装置のスキップフラグを用いたチャンネルスキップ処理の一例を示すフローチャートである。
【００３３】
図３のフローチャートにおいて、ユーザがリモコンＲ等のチャンネルのＵＰ(またはＤＯＷＮ) キーを押すと（ステップＳ３１）、スキップ制御部２２−２は、第２デジタルチューナ１２がフリーであるかどうかを判別する（ステップＳ３２）。第２デジタルチューナ１２がフリーであれば、１つ後の（または前の）登録チャンネルのスキップフラグをチェックする。この段階では実際に選局を行わず、メモリ２４上に格納されているスキップフラグを参照するだけなので高速に動作する（ステップＳ３３）。
【００３４】
ここで、スキップフラグが設定されているとスキップ制御部２２−２が判断すれば（ステップＳ３５）、そのチャンネルは自動スキップの対象なので選局せずにスキップして、ステップＳ３３に戻る。この際に、図６に示すようにスキップしたチャンネル数３１を画面１９に表示することも好適である（ステップＳ３７）。
【００３５】
スキップフラグが設定されていないとスキップ制御部２２−２が判断すれば、そのチャンネルは自動スキップの対象ではないので、スキップせずに選局して、第１デジタルチューナ１１によりそのチャンネルを選局して表示する（ステップＳ３６）。
【００３６】
また、ステップＳ１１において、第２デジタルチューナ１２がフリーでなければ、自動スキップ機能は使わず、第１デジタルチューナ１１で１つ後の（または前の）チャンネルを選局して終了する（ステップＳ３４）。
【００３７】
ここで、自動スキップ機能を使わない理由は、第２デジタルチューナ１２２が録画中や出力部２０に出力中等で使用されていてフリーでないときは、休止中のチャンネルを検索できず、メモリに格納されているスキップフラグが最新である保証ができないためである。もし、古いフラグを元に自動スキップしてしまうと、その後放送を再開したチャンネルもスキップされるという不都合が生じる。
【００３８】
以上のように、一部の使用制限は生じるが、視聴用のチューナとは別のチューナを使って、バックグランドで休止中のチャンネルを検索することで、選局動作速度を落とすことなく自動スキップを実現することができる。
【００３９】
次に、視聴用のチューナのみを用いたチャンネルスキップ処理を行うことも好適である。図５は、本発明の一実施形態に係る放送受信装置のスキップフラグを用いたチャンネルスキップ処理の他の一例を示すフローチャートである。
【００４０】
図５のフローチャートにおいて、ユーザがリモコンＲ等のチャンネルのＵＰ(またはＤＯＷＮ) キーを押すと（ステップＳ４１）、スキップ制御部２２−２は、１つ後の（または前の）登録チャンネルのスキップフラグをチェックする（ステップＳ４２）。この段階では実際に選局を行わず、メモリ２４上に格納されているスキップフラグを参照するだけなので高速に動作する。
【００４１】
ここで、スキップフラグが設定されているとスキップ制御部２２−２が判断すれば（ステップＳ４３）、そのチャンネルは自動スキップの対象なので選局せずにスキップして、ステップＳ４２に戻る。この際に、図６に示すようにスキップしたチャンネル数３１を画面１９に表示することも好適である（ステップＳ４５）。
【００４２】
スキップフラグが設定されていないとスキップ制御部２２−２が判断すれば、そのチャンネルは自動スキップの対象ではないので、スキップせずに選局して、第１デジタルチューナ１１によりそのチャンネルを選局して表示する（ステップＳ４４）。
【００４３】
以上のように、視聴用のチューナのみで自動スキップ処理を行うことも好適であり、この際は、先のステップフラグ設定処理の頻度を多くすることで、休止していたチャンネルが再開していたのに、スキップされてしまうという事態を回避する工夫が望ましい。
【００４４】
なお、ここでデジタルチューナ１１，１２の例で説明したが、アナログチューナ１６，１７についても全く同じ動作が可能である。
【００４５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４６】
【図１】本発明の一実施形態に係る放送受信装置の構成の一例を示すブロック図。
【図２】本発明の一実施形態に係る放送受信装置のスキップフラグ設定処理の一例を示すフローチャート。
【図３】本発明の一実施形態に係る放送受信装置のＥＰＧ情報を用いたスキップフラグ設定処理の一例を示すフローチャート。
【図４】本発明の一実施形態に係る放送受信装置のスキップフラグを用いたチャンネルスキップ処理の一例を示すフローチャート。
【図５】本発明の一実施形態に係る放送受信装置のスキップフラグを用いたチャンネルスキップ処理の他の一例を示すフローチャート。
【図６】本発明の一実施形態に係る放送受信装置のスキップフラグの存在を表示する表示画面の一例を示す説明図。
【符号の説明】
【００４７】
１０…デジタルテレビジョン、１１…デジタルチューナ、１２…デジタルチューナ、１３…復調部、１４…トランスポートデコーダ、１５…ＭＰＥＧデコーダ、１６…アナログチューナ１、１７…アナログチューナ２、１８…映像音声処理部、１９…表示部、２０…スピーカ、２１…操作部、２２…制御部、２２−１…休止判断部、２２−２…スキップ制御部、２３…リモコン受光部、２４…メモリ、２５…ＨＤＤコントローラ、２６…ＨＤＤ、２７…ネットワークコントローラ、２８…ＥＰＧ処理部、Ｒ…リモコン。
【図１】
2008141435.tif 000003
【図２】
2008141435.tif 000004
【図３】
2008141435.tif 000005
【図４】
2008141435.tif 000006
【図５】
2008141435.tif 000007
【図６】
2008141435.tif 000008